(57)【要約】  【課題】建造物のコンクリート壁に換気用配管を高い作業効率で装着する。  【解決手段】コンクリート構造物で囲われた空間を外部に連通する換気配管をコンクリート壁に装着する換気接続アダプタである。このアダプタ(１)は、合成樹脂製の短管(２)の中央部に環状突出部(３)を形成した略ニップル形状をなし、環状突出部(３)の少なくとも一方に位置する連結管部(４)の外径寸法をコンクリート壁(10)に埋設した合成樹脂管(11)で形成されている貫通孔(12)の内径寸法よりも数ｍｍ大径に形成し、環状突出部(３)の両側に位置する連結管部(４)での両先端部分を先窄まりのテーパ面(６)に形成するとともに、連結管部(４)の両端部から軸方向一定範囲に、軸芯と平行な切欠溝(６)が連結管部(４)の周方向を分割する状態で形成してある。【選択図】    図１
2017106640.tif 000002
【特許請求の範囲】
【請求項１】
コンクリート構造物で囲われた空間を外部に連通する換気配管(13)をコンクリート壁面に装着する換気接続アダプタであって、
このアダプタ(１)は、合成樹脂製の短管(２)の中央部に環状突出部(３)を形成した略ニップル形状をなし、環状突出部(３)の少なくとも一方に位置する連結管部(４)の外径寸法をコンクリート壁(10)に埋設した合成樹脂管(11)で形成されている貫通孔(12)の内径寸法よりも数ｍｍ大径に形成し、環状突出部(３)の両側に位置する連結管部(４)での両先端部分を先窄まりのテーパ面(５)に形成するとともに、連結管部(４)の両端部から軸方向一定範囲に、軸芯と平行な切欠溝(６)が連結管部(４)の周方向を分割する状態で形成してあることを特徴とする換気接続アダプタ。
【発明の詳細な説明】
【技術分野】
【０００１】
本発明は、建造物に形成される空間の換気を行うために、壁面を貫通する状態で設けられた貫通孔部分に位置させる換気管の接続アダプタに関する。
【背景技術】
【０００２】
建造物に形成される空間を換気する場合、建造物の壁面を貫通する状態に貫通孔を形成し、このコンクリート壁に形成されている貫通孔に換気管となる合成樹脂管を接続することになるが、この貫通孔の形成方式として、コンクリート壁を形成する型枠同士間に紙管やスペーサ等のスリーブ管を装着して建造物に貫通孔を形成し、コンクリート打設後にこのスリーブ管を除去することで壁に形成された貫通孔を形成したり(特許文献１)、コンクリート壁を形成する型枠同士間に配置したスリーブ管を埋め殺しにして、スリーブ管の内側空間を貫通孔とするもの(特許文献２)が知られている。
【先行技術文献】
【特許文献】
【０００３】
【特許文献１】特開２００８-２４１２３０号公報
【特許文献２】特開２０１２-１３２２６５号公報
【発明の概要】
【発明が解決しようとする課題】
【０００４】
前述の特許文献１に開示されている換気システムでは、建造物を構成するコンクリート壁に形成した貫通孔に合成樹脂製の換気管を挿通配置していることから、その合成樹脂製換気管を貫通孔の壁面に密着固定しなければ、壁面を伝ってくる水滴などが、合成樹脂製換気管と貫通孔内面との間の隙間を通って空間内に入り込むことになり、合成樹脂換気管と貫通孔内面との間を気密あるいは水密に形成しなければならず、作業性に劣るという問題があるうえ、貫通孔に配置した合成樹脂換気管に連結するエルボ管やその先の換気導出管の固定作業に手間がかかるという不都合があった。
【０００５】
一方、コンクリート壁内に埋め殺したスリーブ管に換気管を連結する特許文献２に開示されている形式のものでは、スリーブ管として受け口付きのものを使用し、この受け口に換気管を挿入して固着するようにしている。このため、コンクリート壁形成時に受け口付スリーブ管のセット方向を間違うと、コンクリート壁の完成時に換気管を接続できないという不都合がある。
【０００６】
本発明はこのような点に着目してなされたもので、建造物のコンクリート壁に形成した貫通孔に換気用配管を装着するに当たり作業効率の高い換気管接続アダプタを提供することを目的とする。
【課題を解決するための手段】
【０００７】
上述の目的を達成するために、請求項１に記載した本発明は、コンクリート壁で囲われた空間を外部に連通する換気配管をコンクリート壁に埋設した合成樹脂直管に装着する換気接続アダプタであって、
このアダプタは、合成樹脂製の短管の長手方向中央部に環状突出部を形成した略ニップル形状をなし、環状突出部の少なくとも一方に位置する連結管部の外径寸法をコンクリート壁に埋設されている合成樹脂管で形成した貫通孔の内径寸法よりも数ｍｍ程度大径に形成し、環状突出部の両側に位置する連結管部での両先端部分を先窄まりのテーパ面に形成するとともに、連結管部の両端部から長手方向一定範囲に、軸芯と平行な切欠溝が連結管部の周方向を分割する状態で形成してあることを特徴としている。
【発明の効果】
【０００８】
本発明では、コンクリート壁に埋設した合成樹脂直管で形成されている貫通孔に接続するアダプタを合成樹脂製の短管の長手方向中央部に環状突出部を形成した略ニップル形状に形成し、環状突出部の少なくとも一方に位置する連結管部の外径寸法をコンクリート製壁面に埋設されている合成樹脂管で形成した貫通孔の内径寸法よりも数ｍｍ程度大径に形成し、環状突出部の両側に位置する連結管部での両先端部分を先窄まりのテーパ面に形成するとともに、連結管部の両端部から長手方向一定範囲に、軸芯と平行な切欠溝を連結管部の周方向に分割する状態で形成してあることから、コンクリート壁に形成されている合成樹脂直管で形成されている貫通孔の内周面と連結管部の外周面との少なくとも一方に接着剤を塗布した状態で、切欠溝の開口が等間隔に形成されている連結管部の端面部分を貫通孔の外端面にあてがい、アダプタを軸心方向に押し込む。すると、その端部外周面に形成されているテーパ面が貫通孔を形成している合成樹脂直管の内周面に当接することで切欠溝間の連結管部壁面の内側への変形をガイドすることになるから、切欠溝間の連結管部材が弾性変形しながら貫通孔内に挿入され、アダプタが貫通孔に内嵌固定され、連結管部壁面の弾性反発力でアダプタを貫通孔の内周面に当接することと、内周面と連結管部の外周面との少なくとも一方に塗布されている接着剤の作用とにより、アダプタを貫通孔内にしっかりと固定することができる。これにより、コンクリート製壁面へのアダプタ固定作業を効率よく行うことができる。
【０００９】
さらに、換気管も同様に貫通孔を形成している合成樹脂管に圧嵌するだけで接続固定することができるうえ、接続後の換気管を自立させるだけの保持力を有することになる。
【図面の簡単な説明】
【００１０】
【図１】本発明の一実施形態を示す斜視図である。
【図２】本発明の一実施形態を示す正面図である。
【図３】本発明の一実施形態を示す左側面図である。
【図４】本発明の一実施形態を示す平面図である。
【図５】本発明の一実施形態を示す底面図である。
【図６】本発明の一実施形態を示す縦断正面図である。
【図７】本発明の使用状態を示す図である。
【発明を実施するための形態】
【００１１】
このアダプタ(１)は、ポリ塩化ビニル樹脂で形成した短管(２)の外周面中央部に環状突起部(３)を突出形成した略ニップル状をなしており、環状突起部(３)の両側に位置する連結管部(４)の外径は、後述する構造物の壁面に合成樹脂管を埋設することで形成した貫通孔の内径よりもそれぞれ僅かに(例えば１〜２ｍｍ程度)大径に形成してある。そして、この連結管部(４)の環状突起部(３)からの連出長さは、立ち上がり壁の厚み寸法よりも短めに形成してある。
【００１２】
この連結管部(４)の外周面両側に位置する各外端部は、外端縁における肉厚が連結管本体部の肉厚の約１／２となるように面取り状に切除して、全体として外窄まりのテーパ面(５)となるように形成してある。
【００１３】
また、連結管部(４)の両外端面部分には、その周方向を等分に分割(本実施形態では５等分)する状態で軸心に沿って切欠溝(６)が刻設してある。この切欠溝(６)は、外端面での開口幅が広い略Ｖ字型をなしており、その切込み深さはそれぞれの連結管部(４)における軸芯に沿う長さの１/３程度の深さに形成してある。
【００１４】
上述の構成からなるアダプタ(１)の使用形態を図７を参照しながら説明する。
構造物のコンクリート壁(10)に合成樹脂直管(11)を埋設することで形成した貫通孔(12)に対して、一方の連結管部(４)の先端部を当接させる。この段階で、貫通孔(12)の内端縁は、連結管部(４)の外端部がテーパー面(５)に形成されていることから、連結管部(４)のテーパー面(５)は貫通孔(12)の内周面内側に僅かに突入して状態で組み付けられる。
【００１５】
一方の連結管部(４)の先端部を貫通孔(12)の端縁に当接した状態で、他方の連結管部(４)の端面部を平行を押し込む。すると、連結管部(４)の外端面部分には、円周方向で等分に分割する切欠溝(６)が形成されていることから、周壁面が径方向に弾性変位して、縮径した状態となるので、連結管部(４)を貫通孔(12)内に挿入しやすくなる。
【００１６】
そして、環状突起部(３)が構造物のコンクリート壁(10)に当接するまで連結管部(４)を挿入すると、円周方向を等分に分割する切欠溝(６)が形成されている連結管部(４)の外端面部分の周壁面の有する弾性復元力と、連結管部(４)の外径が貫通孔(12)の内径よりも僅かに大径に形成してあることに基づく貫通孔(12)の内周面からの締付け力とにより、連結管部(４)が貫通孔(12)の内周面に圧嵌されることになり、アダプタ(１)が構造物のコンクリート壁(10)に固定されることになる。なお、この時、連結管部(４)の外周面と貫通孔(12)の内周面との少なくとも一方に接着剤を塗布しておくことで連結管部(４)は貫通孔(12)にしっかりと接着固定される。
【００１７】
構造物の壁面(10)に固定されたアダプタ(１)の他方の連結管部(４)に、ポリ塩化ビニル樹脂製のエルボ管や直管からなる換気管(13)を接着剤を介して挿管することで、床下空間や地下室の換気配管を構成する。この場合、換気管(13)は受け口付の合成樹脂管であっても、合成樹脂製の直管であってもよい。
【００１８】
上述の実施形態では、環状突起部(３)の両側に位置する連結管部(４)の外径を同径に構成したものについて説明したが、一方の連結管部(４)の外径を貫通孔の内径よりもそれぞれ僅かに大径形成し、他方の連結管部(４)の外径を、接続する換気管(13)の口径に対応させた口径に形成してもよい。
【００１９】
上記の実施形態では、コンクリート壁として、型枠内にコンクリートを打設するすることで形成するものについて述べているが、このコンクリート壁としては、貫通孔をあらかじめ形成したＡＬＣであってもよい。また、コンクリート壁に埋設される合成樹脂管としては、ＬＰ管、ＶＰ管、ＳＵ管を使用することができる。
【産業上の利用可能性】
【００２０】
本発明にかかるアダプタは、コンクリート壁に貫通形成された貫通孔に換気配管を行う際に、高い作業効率で換気配管を形成することができる。
【符号の説明】
【００２１】
１…アダプタ、２…短管、３…環状突出部、４…連結管部、５…テーパ面、６…切欠溝、10…壁、11…合成樹脂管、12…貫通孔、13…換気配管。
【図１】
2017106640.tif 000003
【図２】
2017106640.tif 000004
【図３】
2017106640.tif 000005
【図４】
2017106640.tif 000006
【図５】
2017106640.tif 000007
【図６】
2017106640.tif 000008
【図７】
2017106640.tif 000009